(57)【要約】  【課題】  システムをよりシンプルに構成してコストを抑え、比較的小規模の水門や樋門でも好適に採用できる水門遠隔監視システムを提供する。  【解決手段】  水門１に、水位などの水門管理情報を監視する水門監視端末６と通報用携帯電話７とを備えると共に、通報用携帯電話７には水門管理者の固定電話８ｂ、８ｄや携帯電話８ａ、８ｃの電話番号やメールアドレスを予め登録しておく。そして、水門監視端末６が水位センサ４などから警戒水位などの異常を検出すると、通報用携帯電話７にて水門管理者の固定電話８ｂ、８ｄや携帯電話８ａ、８ｃの電話番号やメールアドレスへ自動的に通報を行う。【選択図】  図１
2005229320.tif 000002
【特許請求の範囲】
【請求項１】
河川や水路に設置される水門に、水位などの水門管理情報を監視する水門監視端末と、通報装置である通報用携帯電話とを備えると共に、該通報用携帯電話には水門管理者の所有する固定電話や携帯電話などの電話番号やメールアドレスを予め登録しておき、前記水門監視端末が水門管理情報に異常を検出すると通報用携帯電話にて前記電話番号やメールアドレスへ自動的に通報するように構成したことを特徴とする水門遠隔監視システム。
【請求項２】
水門管理者が固定電話からプッシュ回線を介して水門の通報用携帯電話に電話をかけて所定のプッシュボタンを操作すると、水門監視端末ではそのボタン操作に応じて発せられるトーン信号から操作されたボタン番号を識別し、もしそのボタン番号が水門監視端末に予め設定登録しておいた暗証番号と一致するようであれば、水門監視端末が取得した水門管理情報を音声出力するように構成したことを特徴とする請求項１記載の水門遠隔監視システム。
【請求項３】
水門管理者が固定電話からプッシュ回線を介して水門の通報用携帯電話に電話をかけて所定のプッシュボタンを操作すると、水門監視端末ではそのボタン操作に応じて発せられるトーン信号から操作されたボタン番号を識別し、もしそのボタン番号が水門監視端末に予め設定登録しておいた暗証番号及びゲート開閉操作用のコマンド番号と一致するようであれば、水門に備えたゲート開閉機を駆動制御してゲートを開閉させるように構成したことを特徴とする請求項１記載の水門遠隔監視システム。
【発明の詳細な説明】
【技術分野】
【０００１】
本発明は、河川や水路に設置される水門や樋門を遠隔地にて監視する水門遠隔監視システムに関する。
【背景技術】
【０００２】
河川に設置されている比較的小型の水門や樋門などの管理はそれぞれ地元の水利組合から選出された管理者に一任されており、この管理者は定期的に、或いは降雨などによる河川水位の変動が予測されるときには随時水門まで赴き、目視などで河川水位を実際に確認し、必要に応じてゲートの開閉などの諸操作を行って河川水位を適宜調節している場合が多い。
【０００３】
ところで、前記水門の管理者の多くは通常他の職業に就いているのが普通であり、いつでも水門まで赴けるというわけではないため、例えば、突発的な豪雨などで急激に河川の水位が上昇したとしてもそれに気付くのが遅れてしまったり、また台風や嵐などの場合には激しい風雨の中を頻繁に水門まで赴いて何度も水位を確認する必要があるため、水門管理者に対する負担が非常に大きいといった問題を有していた。
【０００４】
このような問題に対し、本出願人は、河川に設置した水門や樋門近傍に河川の水位計測用の水位センサや、流速計測用の流速センサなどの各種センサを備え、もしこれら各種センサが異常を検出すれば、インターネットを介して監視センターに設置した監視サーバへ警報データを送信し、この警報データを受信した監視センターの監視サーバでは水門管理者の携帯電話に電話をかけて警報データをインターネットを介して配信すると共に、水門管理者の携帯電話からインターネットを介して監視サーバへ水門管理情報の配信要求を行えば、監視サーバは水門の携帯電話に電話をかけてインターネットを介して水門管理情報を取得し、水門管理者の携帯電話に配信するようにした水門遠隔監視システムを既に出願済みである（特開２００２−１９００７９号）。このシステムによれば、管理者は通報を受けたときにだけ水門へと赴けばよく、管理者の負担を大幅に減じることができると共に、河川の水位異常や水門設備の異常などをいつでもリアルタイムにかつ確実に把握することができ、水門管理者は迅速で的確な対応をとることができる。
【特許文献１】特開２００２−１９００７９号
【発明の開示】
【発明が解決しようとする課題】
【０００５】
しかしながら、上記システムにあっては、水門と水門管理者間の警報データや水門管理情報などのやりとりを、インターネットを介して行うようにしているため、監視サーバや監視センターなどを別途設置する必要があり、システムを構築するにあたってある程度の設備コストや管理コストを要し、比較的小規模の水門や樋門などでは現実的に採用することが難しい場合がある。
【０００６】
本発明は上記の点に鑑み、システムをよりシンプルに構成してコストを抑え、比較的小規模の水門や樋門でも好適に採用できる水門遠隔監視システムを提供することを課題とする。
【課題を解決するための手段】
【０００７】
本発明は上記の課題を解決するために、請求項１記載の水門遠隔監視システムにあっては、河川や水路に設置される水門に、水位などの水門管理情報を監視する水門監視端末と、通報装置である通報用携帯電話とを備えると共に、該通報用携帯電話には水門管理者の所有する固定電話や携帯電話などの電話番号やメールアドレスを予め登録しておき、前記水門監視端末が水門管理情報に異常を検出すると通報用携帯電話にて前記電話番号やメールアドレスへ自動的に通報するように構成したことを特徴としている。
【０００８】
また、請求項２記載の水門遠隔監視システムにあっては、水門管理者が固定電話からプッシュ回線を介して水門の通報用携帯電話に電話をかけて所定のプッシュボタンを操作すると、水門監視端末ではそのボタン操作に応じて発せられるトーン信号から操作されたボタン番号を識別し、もしそのボタン番号が水門監視端末に予め設定登録しておいた暗証番号と一致するようであれば、水門監視端末が取得した水門管理情報を音声出力するように構成したことを特徴としている。
【０００９】
また、請求項３記載の水門遠隔監視システムにあっては、水門管理者が固定電話からプッシュ回線を介して水門の通報用携帯電話に電話をかけて所定のプッシュボタンを操作すると、水門監視端末ではそのボタン操作に応じて発せられるトーン信号から操作されたボタン番号を識別し、もしそのボタン番号が水門監視端末に予め設定登録しておいた暗証番号及びゲート開閉操作用のコマンド番号と一致するようであれば、水門に備えたゲート開閉機を駆動制御してゲートを開閉させるように構成したことを特徴としている。
【発明の効果】
【００１０】
以上のように本発明に係る請求項１記載の水門遠隔監視システムによれば、河川や水路に設置される水門に、水位などの水門管理情報を監視する水門監視端末と、通報装置である通報用携帯電話とを備えると共に、該通報用携帯電話には水門管理者の所有する固定電話や携帯電話などの電話番号やメールアドレスを予め登録しておき、前記水門監視端末が水門管理情報に異常を検出すると通報用携帯電話にて前記電話番号やメールアドレスへ自動的に通報するように構成したので、水門管理者は水門からの通報を受けたときにだけ水門まで赴けば済み、水門管理者の負担を軽減できると共に、ごくシンプルな構成で水門遠隔監視システムを構築できて設備コストや管理コストを抑えることができ、比較的小規模な水門や樋門などにも好適に採用することが可能となる。
【００１１】
また、請求項２記載の水門遠隔監視システムによれば、水門管理者が固定電話からプッシュ回線を介して水門の通報用携帯電話に電話をかけて所定のプッシュボタンを操作すると、水門監視端末ではそのボタン操作に応じて発せられるトーン信号から操作されたボタン番号を識別し、もしそのボタン番号が水門監視端末に予め設定登録しておいた暗証番号と一致するようであれば、水門監視端末が取得した水門管理情報を音声出力するように構成したので、水門管理者は台風や嵐などの悪天候時に頻繁に水門まで赴かなくても水位などの水門管理情報に異常がないかどうかリアルタイムに把握できて水門管理者の負担を軽減できる一方、異常がある場合にはその水門管理情報に基づいて最適な対応を迅速かつ的確に行うことができる。
【００１２】
また、請求項３記載の水門遠隔監視システムによれば、水門管理者が固定電話からプッシュ回線を介して水門の通報用携帯電話に電話をかけて所定のプッシュボタンを操作すると、水門監視端末ではそのボタン操作に応じて発せられるトーン信号から操作されたボタン番号を識別し、もしそのボタン番号が水門監視端末に予め設定登録しておいた暗証番号及びゲート開閉操作用のコマンド番号と一致するようであれば、水門に備えたゲート開閉機を駆動制御してゲートを開閉させるように構成したので、水門管理者は悪天候時などにわざわざ水門まで赴かなくてもゲートの開閉操作をすることができ、水門管理者の負担を軽減することができる。
【発明を実施するための最良の形態】
【００１３】
本発明に係る請求項１記載の水門遠隔監視システムによれば、河川や水路に設置される水門に、河川の水位や、ゲートの開閉状態、通電の有無などといった各種水門管理情報を取得して監視する水門監視端末と、通報用携帯電話とを備え、該通報用携帯電話には水門管理者の固定電話や携帯電話などの電話番号やメールアドレスなどを予め登録しておく一方、水門監視端末には各水門管理情報毎に異常を検出した場合をそれぞれ想定して各状況に応じた警告メッセージを音声データ、または文字データ、或いはその両方にて予め登録しておく。
【００１４】
そして、例えば、台風や嵐などによる河川や水路の増水により、水門監視端末が水門周囲の水位などの水門管理情報に異常を検出すると、直ちに備え付けの通報用携帯電話にて水門管理者の固定電話や携帯電話へ音声、或いはメールにて自動的に通報を行う。例えば、この通報が電話によるものであれば、水門管理者が電話にでると、異常の検出された水門管理情報に応じた警告メッセージが音声で流れ、また通報がメールによるものであれば、水門管理者がメールを受信すると、同様に異常の検出された水門管理情報に応じた警告メッセージが文字表示される。そして、これらの警告メッセージを受け取った水門管理者は、その警告内容を確認した上で現地に急行し、例えばゲートの開閉操作など状況に応じた最適な対応を行う。このとき、水門管理者は警告メッセージにてある程度の対処方法を想定してから現地に赴くことができるため、現場で焦るようなこともなく迅速かつ冷静に対応することができる。
【００１５】
このように、水門管理者は水門からの通報を受けたときにだけ水門まで赴けば済み、緊急時にも対応が遅れるようなこともなく、水門管理者の負担を大幅に軽減できると共に、ごくシンプルな構成にてシステムを構築できて設備コストや管理コストなどを極力抑えることができ、比較的小規模な水門や樋門などにも好適に採用することが可能となる。
【００１６】
また、請求項２記載の河川の水門遠隔監視システムによれば、水門監視端末に、各水門管理情報毎の異常の有無や、設定状態などが認識できるようなメッセージを音声データにて予め登録しておく。そして、例えば台風や嵐などにより河川や水路の増水が予測されるような場合には、水門管理者は自宅や公共施設などの固定電話からプッシュ回線を介して水門の通報用携帯電話に電話をかけて接続し、予め設定した暗証番号をプッシュボタン操作する。そして、水門監視端末では、そのボタン操作に応じて発せられるトーン信号から固定電話にて操作されたボタン番号を識別し、もしそのボタン番号が水門監視端末に予め設定登録しておいた暗証番号と一致すれば水門管理者からの問い合わせであると判断し、水位の異常の有無やゲートの開閉状態などといった水門監視端末が取得したリアルタイムの各種水門管理情報に対応したメッセージを音声出力する。そして、このメッセージを確認した水門管理者はその内容に応じ、何らかの対応を要するかどうか判断し、もし対応の必要があれば前記メッセージに基づいた対応を行う。
【００１７】
このように、水門管理者は台風や嵐などの悪天候時に限らず平常時においても、頻繁に現地である水門まで赴かなくても水位などの水門管理情報に異常がないかどうか、或いは水門のゲートが開放・閉鎖の何れの状態にあるのかなどを容易にかつリアルタイムに把握できて水門管理者の負担を軽減できる一方、異常がある場合にはその水門管理情報に基づいて最適な対応を迅速かつ的確に行うことができる。
【００１８】
また、請求項３記載の河川の水門遠隔監視システムによれば、水門監視端末と、水門のゲートに備え付けたゲート開閉機とを制御線にて接続し、水門監視端末からの制御信号によってゲート開閉機を駆動させることでゲートを開閉操作可能としておく。そして、例えば悪天候時には、水門管理者は自宅や公共施設などの固定電話からプッシュ回線を介して水門の通報用携帯電話に電話をかけて接続し、予め設定した暗証番号に続いてゲート開閉操作用のコマンド番号をプッシュボタン操作する。そして、水門監視端末では、そのボタン操作に応じて発せられるトーン信号から固定電話にて操作されたボタン番号を識別し、もしそのボタン番号が水門監視端末に予め設定登録しておいた暗証番号、及びゲート開閉用のコマンド番号と一致すれば水門管理者による操作であると判断し、ゲート開閉機へ制御信号を送信し、ゲート開閉機はその制御信号に応じてゲートを開閉させる。
【００１９】
このように、水門管理者は台風や嵐などの悪天候時に限らず平常時においても、わざわざ現地である水門まで赴かなくてもゲートの開閉操作をすることができて水門管理者の負担を軽減できると共に、集中豪雨などで水門のゲートを緊急に開閉する必要がある場合に、水門管理者は自宅や公共施設などの固定電話から直ちに開閉操作をすることができ、対応が遅れるおそれもなくて好適である。
【実施例】
【００２０】
以下、本発明の実施例を図面に基づいて説明する。
【００２１】
図中の１は河川に設けられた水門であり、流路断面積を調整するゲート２と、該ゲート２開閉用の駆動モータを具備したゲート開閉機３を設けると共に、水門１の前後の河川には水位を計測するための水位センサ４を設置しており、前記ゲート開閉機３は駆動制御用の制御装置５を介して、また水位センサ４は直に、水門１近くに設置した水門監視端末６へ接続している。
【００２２】
前記水位センサ４においては、設置する河川の警戒水位や水門管理者が危険と判断する水位などを予め設定しておき、もし河川の水位がこの設定水位を超えれば水門監視端末６へ異常信号を出力し、河川の水位が異常であると検出できる構成としている。また、前記制御装置５においては、ゲート開閉機３を駆動制御してゲート２を開放、或いは閉鎖させる際に水門監視端末６へ制御信号を出力し、ゲート２が開放状態であるのか、或いは閉鎖状態であるのかが検出できる構成としている。
【００２３】
水門監視端末６は、前記水位センサ４や制御装置５などから出力される異常信号や制御信号などの水門管理情報を随時取り込み、取り込んだ水門管理情報が異常信号などの場合には直ちに水門管理者へ通報を行う機能を有した端末装置であり、水門管理者への通報装置として通報用携帯電話７を備えている。また、水門監視端末６では、通電状態か停電状態かを検出可能としており、停電状態となれば異常と判断して前記と同様に水門管理者へ通報を行うようにしている。
【００２４】
また、８ａ、８ｂ、８ｃ、８ｄは水門１を管理する水門管理者が所有する固定電話や携帯電話であり、そのうち、固定電話８ａ、８ｃは、プッシュ回線を利用するプッシュホン形式の電話である。そして、前記水門監視端末６に備えた通報用携帯電話７には、これら水門管理者の固定電話８ａ、８ｃや、携帯電話８ｂ、８ｄの電話番号やメールアドレスを予め登録している一方、水門監視端末６には検出される様々な異常事態に対応する警告メッセージを、例えば、「こちらは○○水門、現在警戒水位です。」とか、「こちらは○○水門、停電しました。」などと、音声データや、文字データ、或いはその両方にて登録している。
【００２５】
そして、例えば、水門監視端末６が水位センサ４からの警戒水位を示す異常信号を受け取ったり、水門監視端末６自身が停電状態を検出すると、通報用携帯電話７に登録している水門管理者の固定電話８ａ、８ｃや、携帯電話８ｂ、８ｄの電話番号やメールアドレスへ自動的に連絡し、登録しておいた警告メッセージから状況に対応したものを選択して音声データや文字データにて通報を行うような構成としている。
【００２６】
また、水門監視端末６は、遠隔地にいる水門管理者からの要求に応じて水門監視端末６が取得した水門管理情報を出力したり、制御装置５を介してゲート２を開閉操作したりする機能も備えている。
【００２７】
水門監視端末６には、水位センサ４などから異常信号が出力されているかどうか、またゲート２が開放・閉鎖の何れの状態にあるかなどが認識できるようなメッセージを、例えば、「こちらは○○水門、現在警戒水位、ゲートは閉鎖中です。」とか、「こちらは○○水門、現在異常はありません。」などと、音声データにて予め登録しておくと共に、誤操作防止用の任意の暗証番号と、ゲート２の開閉操作を制御装置５へ指令するための専用のコマンド番号を設定登録している。
【００２８】
そして、例えば、水門管理者の固定電話８ａ、８ｃから水門監視端末６の通報用携帯電話７へ電話をかけ、プッシュボタンを操作して暗証番号を入力すると、水門監視端末６ではそのボタン操作に応じて発せられるトーン信号から入力されたボタン番号を識別し、もし暗証番号と一致すれば水門管理者による問い合わせであると判断し、現時点で水門監視端末６が取得している水門管理情報に対応するメッセージを選択して音声出力するような構成としている。
【００２９】
また、暗証番号に続いてゲート２開閉用のコマンド番号を入力すると、水門監視端末６ではそのボタン番号を識別し、もしコマンド番号と一致すれば水門管理者による操作であると判断し、制御装置５へゲート開閉機３を駆動制御させる指令を出し、その指令に応じてゲート開閉機３はゲート２を開閉させるような構成としている。
【００３０】
しかして、本発明の水門遠隔監視システムによれば、例えば、台風や嵐などによって河川や水路が増水して警戒水位に達すると、水位センサ４によって異常水位が検出されて異常信号が水門監視端末６へと送られ、また、停電などが生じて水門設備に電気が供給されなくなると、水門監視端末６自身が停電と判断して異常を検出する。すると、水門監視端末６では、直ちに通報用携帯電話７に対して発信指令を出し、発信指令を受けた通報用携帯電話７は、予め登録している水門管理者の固定電話８ａ、８ｃや携帯電話８ｂ、８ｄの電話番号やメールアドレスへ電話をかけたり、メール送信をして、異常内容が具体的にわかるような警告メッセージにて通報を行い、水門管理者に警戒を呼びかけると共に必要に応じて対策を講じさせるのである。
【００３１】
このように、水門管理者は水門１からの通報を受けたときにだけ水門１まで赴けば済み、緊急時にも対応が遅れるようなこともなく、水門管理者の負担を大幅に軽減できると共に、従来のようにインターネットなどを利用することもなく電話やメールなどで直接通報するといったごくシンプルな構成にてシステムを構築しているため、設備コストや管理コストなどを極力抑えることができ、比較的小規模な水門や樋門などにも好適に採用することが可能となる。
【００３２】
なお、水門１の通報用携帯電話７の通報先として登録する固定電話８ａ、８ｃや携帯電話８ｂ、８ｄは、水門管理者が複数いるのであればその人数に応じてそれら全ての電話の電話番号やメールアドレスを登録しておくと共に、これらの電話番号やメールアドレスに優先順位を付しておく。
【００３３】
そして、通報監視端末６が水位センサ４などから異常信号を受け取ると、通報用携帯電話７にて先ず最優先の連絡先電話番号、例えば固定電話８ａへ自動的に通報する。もし、この固定電話２０ａと連絡が付かないようであれば、優先順位に基づいて優先順位が次の携帯電話２０ｂへ通報する。このように、何れかの電話８ａ、８ｂ、８ｃ、８ｄと連絡が付くまで優先順位に基づいて各電話番号へ順次通報していく。また、このように通報を行っても何れの電話８ａ、８ｂ、８ｃ、８ｄとも連絡が付かない場合には、再び優先順位の先頭に戻って電話８ａから通報を始める。このようにすることにより、水門管理者に対する連絡の確実性が増すように図っている。
【００３４】
一方、台風や嵐などにより河川や水路の増水が予測されるような場合には、水門管理者は自宅や公共施設の固定電話８ａ、８ｃからプッシュ回線を介して水門１の通報用携帯電話７に電話をかけ、予め設定した暗証番号をプッシュボタンにて入力操作する。すると、水門監視端末６では、そのボタン操作に応じて発せられるトーン信号から固定電話８ａ、８ｃにて入力操作されたボタン番号を識別し、もしそのボタン番号が暗証番号と一致すれば水門管理者による問い合わせであると判断し、水位の異常の有無やゲート２の開閉状態などといった水門管理者が電話した時点で水門監視端末６が取得しているリアルタイムの水門管理情報を音声出力する。そして、この水門管理情報を確認した水門管理者はその内容に応じ、何らかの対応を要するかどうか判断し、もし対応の必要があれば前記水門管理情報に基づいた対応を行うのである。
【００３５】
このように、水門管理者は台風や嵐などの悪天候時、或いはこれに限らず平常時においても、頻繁に現地である水門１まで赴かなくても水位などの水門管理情報に異常がないかどうか、或いは水門１のゲート２が開放・閉鎖の何れの状態にあるのかなどを容易にかつリアルタイムに把握できて水門管理者の負担を軽減できる一方、異常がある場合にはその水門管理情報に基づいて最適な対応を迅速かつ的確に行うことができる。
【００３６】
また、水門管理者が上記のような電話確認や、水門１からの通報により、例えば、水位の異常を知った場合には、水門管理者は自宅や公共施設などの固定電話８ａ、８ｃからプッシュ回線を介して水門１の通報用携帯電話７に電話をかけ、予め設定した暗証番号に続いてゲート２開放用のコマンド番号をプッシュボタンにて入力操作する。すると、水門監視端末６では、そのボタン操作に応じて発せられるトーン信号から固定電話８ａ、８ｃにて入力操作されたボタン番号を識別し、もしそのボタン番号が暗証番号、及びゲート２開放操作用のコマンド番号と一致すれば水門管理者による操作であると判断し、ゲート開閉機３へ開放操作用の制御信号を送信し、ゲート開閉機３はその制御信号に応じてゲート２を開放動作させるのである。そして、やがて水位が正常に戻れば、水門管理者は前記と同様に固定電話８ａ、８ｃから水門１の通報用携帯電話７に電話をかけ、暗証番号に続いて、今度はゲート２閉鎖操作用のコマンド番号を入力操作する。すると、水門監視端末６では、固定電話８ａ、８ｃにて入力操作されたボタン番号を識別して水門管理者による操作であると判断すると、ゲート開閉機３へ閉鎖操作用の制御信号を送信し、ゲート開閉機３はその制御信号に応じてゲート２を閉鎖動作させるのである。
【００３７】
このように、水門管理者は台風や嵐などの悪天候時、或いはこれに限らず平常時においても、わざわざ現地である水門１まで赴かなくてもゲート２の開閉操作をすることができて水門管理者の負担を軽減できると共に、集中豪雨などで水門１のゲート２を緊急に開閉する必要がある場合に、水門管理者は自宅や公共施設の固定電話８ａ、８ｃなどから直ちに開閉操作をすることができ、対応が遅れるおそれもなくて好適である。
【００３８】
なお、本実施例においては、通報方法として通常のメールを使用しているが、ショートメールを使用するようにすればさらにコストを抑えることができると共に、容量が小さく済み、例えば、後からパソコンなどでメールデータをそのままデータ処理する場合にも好適である。
【００３９】
また、水門管理者の固定電話８ａ、８ｃにプッシュホン形式のものを採用しているが、水門１の通報用携帯電話７からの通報を受けるだけであればダイヤル式のものでも何ら支障はない。
【００４０】
また、水門１の水門監視端末６が検出する水門管理情報として河川の水位やゲート２の開閉状態、水門設備への通電の有無などをあげたが、この他にも、例えば漏電の有無や、火災の有無、或いは水門設備への不法侵入者の有無なども検出できるように各種センサを備えるようにしてもよい。
【図面の簡単な説明】
【００４１】
【図１】本発明に係る水門遠隔監視システムの一実施例を示す概略構成図である。
【符号の説明】
【００４２】
１…水門                        ２…ゲート
３…ゲート開閉機                ４…水位センサ
５…制御装置                    ６…水門監視端末
７…通報用携帯電話              ８ａ、８ｃ…固定電話
８ｂ、８ｄ…携帯電話
【図１】
2005229320.tif 000003